(57)【特許請求の範囲】
【請求項１】
拠点モデムから連続的に直列に下流モデムが接続されている通信システム内の所定の一のモデムを基準モデムとして確定する基準モデム確定ステップと、
前記基準モデム確定ステップにより確定された基準モデムとの間で前記拠点モデムから離れる方向に配置され接続された第一下流モデムに、前記第一下流モデムとの間で前記拠点モデムから離れる方向に配置され接続された第二下流モデムと前記基準モデムとを接続するよう指示する接続指示ステップと、
前記接続指示ステップにより接続が指示された場合に、前記基準モデムと前記第二下流モデムとを接続するよう切替スイッチを切り替える切替試行ステップと、
前記切替試行ステップにより前記切替スイッチを切り替えた場合に、前記基準モデムと前記第二下流モデムとの通信状態の良不良を判断する判断ステップと、
前記判断ステップにより通信状態が不良と判断された場合には前記切替スイッチを元に戻し、前記判断ステップにより通信状態が良いと判断された場合には前記第二下流モデムとの通信を維持する切替実行ステップと、
からなる通信回線構成方法であって、
前記切替実行ステップにより第二下流モデムとの接続を維持した場合には、第二下流モデムを第一下流モデムとして前記各ステップをさらに実行する
通信回線構成方法。
【請求項２】
前記拠点モデムが基準モデムである、請求項１記載の通信回線構成方法。
【請求項３】
前記基準モデム確定ステップにより確定された基準モデムとの間で前記拠点モデムから離れる方向に配置され接続された第一下流モデムが存在するか否か確認する第一下流モデム存在確認ステップと、
前記第一下流モデムとの間で前記拠点モデムから離れる方向に配置され接続された第二下流モデムが存在するか否か確認する第二下流モデム存在確認ステップと、
前記第一下流モデム存在確認ステップにより前記第一下流モデムの存在が確認された場合に前記第一下流モデムが自動モードか否か判断するモード判断ステップとからなり、
前記第二下流モデム存在確認ステップにより、前記第二下流モデムの存在が確認され、かつ、前記モード判断ステップにより前記第一下流モデムが自動モードであると判断された場合に、前記接続指示ステップを行う、請求項１記載の通信回線構成方法。
【請求項４】
前記拠点モデムが基準モデムである、請求項３記載の通信回線構成方法。
【請求項５】
前記モード判断ステップで自動モードでないと判断された場合に、前記第一下流モデムを前記基準モデムとする、請求項３又は請求項４記載の通信回線構成方法。
【請求項６】
前記判断ステップにおいて通信状態が不良と判断された場合、直結を解除して元の接続に戻した後に、前記第一下流モデムを基準モデムとして前記判断ステップを行う請求項１から５記載の通信回線構成方法。
【請求項７】
請求項１から請求項６のいずれかに記載の通信回線構成方法をコンピュータに実行させるプログラム。
【請求項８】
拠点モデムから連続的に直列に下流モデムが接続されている通信システム内の所定の一のモデムを基準モデム（０）とし、前記基準モデム（０）との間で前記拠点モデムから離れる方向に配置され接続されたモデムを順にモデム（１）、モデム（２）、モデム（３）・・・とした場合に、
前記モデム（０）を基準モデムとして確定する基準管理手段と、
前記基準管理手段により基準モデムとして確定されたモデム（０）と、前記モデム（２）との接続の試行を指示する切替試行指示手段と、
前記切替試行指示手段からの試行の指示に基づいて、前記接続の切替を行う切替手段と、
前記切替手段による切替をした場合に、モデム（０）とモデム（２）との通信状態の良不良を判断する判断手段と、
前記判断手段の判断が良の場合には、切替を確定し、前記判断手段の判断が不良の場合には、前記切替スイッチによる切替を元に戻す旨、前記切替手段に指示する切替確定手段とからなり、
前記基準管理手段は、前記判断手段の判断が不良の場合には、モデム（１）をモデム（０）とする指示を発するものである、
通信回線構成システム。
【請求項９】
最端の拠点モデムと複数の下流モデムとからなり、拠点モデムからモデムがそれぞれ直列に接続され接続されたモデム間で通信が行われる通信システムにおいて、
前記通信システムを構成するモデムのうちのいずれかである基準モデムから前記拠点モデムから遠ざかる方向に配置され接続された第一下流モデムを、前記第一下流モデムから前記拠点モデムから遠ざかる方向に配置され接続された第二下流モデムに切り替えて通信を行う通信システム。
【請求項１０】
拠点モデムから連続的に直列に下流モデムが接続されている通信システムを構成するモデムのうちのいずれか一のモデムを基準モデムとした場合、前記基準モデムと前記基準モデムとの間で前記拠点モデムから離れる方向に配置され接続された第一下流モデムを、前記第一下流モデムとの間で前記拠点モデムから遠ざかる方向に配置され接続された第二下流モデムに切り替える通信回線構成装置であって、前記基準モデムに備えられ、
前記いずれか一のモデムを基準モデムとして確定する基準管理部と、前記基準モデムを前記第一下流モデム又は前記第二下流モデムと接続するよう制御する制御手段とからなり、
前記制御手段は、
前記基準管理部により確定された基準モデムと前記第一下流モデムとの間の接続を、前記第二下流モデムとの間の接続とするよう切り替えるよう指示する切替試行指示手段と、
前記基準モデムと前記第二下流モデムとの間の通信状態に応じて、前記第二下流モデムとの接続を維持するか、前記第一下流モデムとの接続に戻すかを判断する判断手段とを含み、
前記基準管理部は、前記判断手段の判断に基づいて、前記第一下流モデムとの接続に戻す場合には、前記第一下流モデムと基準モデムとして扱うよう指示する
通信回線構成装置。
【請求項１１】
拠点モデムから連続的に直列に下流モデムが接続されている通信システムを構成するモデムのうちのいずれか一のモデムを基準モデムとした場合、前記基準モデムと前記基準モデムとの間で前記拠点モデムから離れる方向に配置され接続された第一下流モデムを、前記第一下流モデムとの間で前記拠点モデムから遠ざかる方向に配置され接続された第二下流モデムに切り替える通信回線構成装置であって、前記第一下流モデムに備えられ、
前記基準モデムからの指示に基づいて、前記基準モデムと前記第一下流モデムとの接続を前記基準モデムと前記第二下流モデムとの間の接続に切り替える切替手段と、
前記切替手段によって接続された前記基準モデムと前記第二下流モデムとの間の通信状態に応じて、前記基準モデムと前記第二下流モデムとの間の接続を維持するか、前記基準モデムと前記第一下流モデムとの間の接続に戻すかを判断する判断手段と、
前記判断手段の判断に基づいて前記第一下流モデムとの接続に戻す場合には前記第一下流モデムを基準モデムとして確定する基準管理部と
を備えた
通信回線構成装置。
【請求項１２】
前記制御手段は、前記第一下流モデムと前記第二下流モデムが存在し、かつ、第一下流モデムが切替可能モードになっている場合にのみ、第一下流モデムを第二下流モデムに切り替える指示を発するものである請求項１０記載の通信回線構成装置。
【発明の詳細な説明】
【技術分野】
【０００１】
本発明は、通信回線構成システム、通信回線構成装置、通信回線構成方法、及びプログラムに係り、特に、モデムをシリアルに何段にもつなげる構成において、通信速度等の通信品質は確保しつつ、中継段数をできるだけ減らして伝送遅延時間を短くした通信回線構成システム、通信回線構成方法、通信回線構成方法及びプログラムに関する。
【背景技術】
【０００２】
現在、鉄道の沿線には通信ケーブル（特にメタリックケーブル）が敷設されており、モデムを使ったデータ通信が行われている。特に最近では、拠点駅を中心として配下の駅との間をＬＡＮ間接続してイントラネット構築する事例が増えてきている。このようなＬＡＮ間の通信を良好に保つために、モデム間の通信回線の通信状態を監視する装置がある（例えば特許文献１、特許文献２参照）。
【特許文献１】特開２００３−１８２１７号公報
【特許文献２】特開２００５―２９５４４１号公報
【発明の開示】
【発明が解決しようとする課題】
【０００３】
特許文献１に示す発明は、通信装置を二重化回線の状態を監視してどちらの系を使うかを判定するものであり、モデムが多段に接続されていても系を切り替えることを可能とするものである。
【０００４】
確かに、通信装置間の回線の状態を監視すれば良好な通信品質を保つことができるが、各駅ごとにシリアルに接続する通信システムにおいて、必要でなくても全部モデムを設置して必ず中継するとすれば、この場合は、遅延時間がモデムの段数だけ発生してしまうという課題がある。
【０００５】
また、中継段数をできるだけ減らすように予め設計をしておくとすれば、雑音が増えた場合に伝送速度の低下が起きる可能性が高くなってしまう。
【課題を解決するための手段】
【０００６】
そこで、本発明に係る通信回線構成方法は、拠点モデムから連続的に直列に下流モデムが接続されている通信システム内の所定の一のモデムを基準モデムとして確定する基準モデム確定ステップと、基準モデム確定ステップにより確定された基準モデムとの間で拠点モデムから離れる方向に配置され接続された第一下流モデムに、第一下流モデムとの間で拠点モデムから離れる方向に配置されに接続された第二下流モデムと基準モデムとを接続するよう指示する接続指示ステップと、接続指示ステップにより接続が指示された場合に、基準モデムと第二下流モデムとを接続するよう切替スイッチを切り替える切替試行ステップと、切替試行ステップにより切替スイッチを切り替えた場合に、基準モデムと第二下流モデムとの通信状態の良不良を判断する判断ステップと、判断ステップにより通信状態が不良と判断された場合には切替スイッチを元に戻し、判断ステップにより通信状態が良いと判断された場合には第二下流モデムとの通信を維持する切替実行ステップと、からなる通信回線構成方法であって、切替実行ステップにより第二下流モデムとの接続を維持した場合には、第二下流モデムを第一下流モデムとして各ステップをさらに実行する。この場合、拠点モデムが基準モデムであってもよい。
【０００７】
また、本発明に係る通信回線構成方法は、基準モデム確定ステップにより確定された基準モデムとの間で拠点モデムから離れる方向に配置され接続された第一下流モデムが存在するか否か確認する第一下流モデム存在確認ステップと、第一下流モデムとの間で拠点モデムから離れる方向に配置され接続された第二下流モデムが存在するか否か確認する第二下流モデム存在確認ステップと、第一下流モデム存在確認ステップにより第一下流モデムの存在が確認された場合に第一下流モデムが自動モードか否か判断するモード判断ステップとからなり、第二下流モデム存在確認ステップにより、第二下流モデムの存在が確認され、かつ、モード判断ステップにより第一下流モデムが自動モードであると判断された場合に、接続指示ステップを行うようにしてもよい。この場合、拠点モデムが基準モデムであってもよい。さらに、モード判断ステップで自動モードでないと判断された場合に、第一下流モデムを基準モデムとするようにしてもよい。
【０００８】
判断ステップにおいて通信状態が不良と判断された場合、直結を解除して元の接続に戻した後に、前記第一下流モデムを基準モデムとして前記判断ステップを行うようにしてもよい。
【０００９】
また、本発明に係るプログラムは上記の通信回線構成方法をコンピュータに実行させるものである。
【００１０】
本発明に係る通信回線構成システムは、拠点モデムから連続的に直列に下流モデムが接続されている通信システム内の所定の一のモデムを基準モデム（０）とし、基準モデム（０）との間で拠点モデムから離れる方向に配置され接続されたモデムを順にモデム（１）、モデム（２）、モデム（３）・・・とした場合に、モデム（０）を基準モデムとして確定する基準管理手段と、基準管理手段により基準モデムとして確定されたモデム（０）と、モデム（２）との接続の試行を指示する切替試行指示手段と、切替試行指示手段からの試行の指示に基づいて、接続の切替を行う切替手段と、切替手段による切替をした場合に、モデム（０）とモデム（２）との通信状態の良不良を判断する判断手段と、判断手段の判断が良の場合には、切替を確定し、判断手段の判断が不良の場合には、切替スイッチによる切替を元に戻す旨、切替手段に指示する切替確定手段とからなり、基準管理手段は、判断手段の判断が不良の場合には、モデム（１）をモデム（０）とする指示を発するものである。
【００１１】
また、本発明に係る通信システムは、最端の拠点モデムと複数の下流モデムとからなり、拠点モデムからモデムがそれぞれ直列に接続され接続されたモデム間で通信が行われる通信システムにおいて、通信システムを構成するモデムのうちのいずれかである基準モデムから拠点モデムから遠ざかる方向に配置され接続された第一下流モデムを、第一下流モデムから拠点モデムから遠ざかる方向に配置され接続された第二下流モデムに切り替えて通信を行う。
【００１２】
本発明に係る通信回線構成装置は、拠点モデムから連続的に直列に下流モデムが接続されている通信システムを構成するモデムのうちのいずれか一のモデムを基準モデムとした場合、基準モデムと基準モデムとの間で拠点モデムから離れる方向に配置され接続された第一下流モデムを、第一下流モデムとの間で拠点モデムから遠ざかる方向に配置され接続された第二下流モデムに切り替える通信回線構成装置であって、基準モデムに備えられ、いずれか一のモデムを基準モデムとして確定する基準管理部と、基準モデムを第一下流モデム又は第二下流モデムと接続するよう制御する制御手段とからなり、制御手段は、基準管理部により確定された基準モデムと第一下流モデムとの間の接続を、第二下流モデムとの間の接続とするよう切り替えるよう指示する切替試行指示手段と、基準モデムと第二下流モデムとの間の通信状態に応じて、第二下流モデムとの接続を維持するか、第一下流モデムとの接続に戻すかを判断する判断手段とを含み、基準管理部は、判断手段の判断に基づいて、第一下流モデムとの接続に戻す場合には、第一下流モデムと基準モデムとして扱うよう指示する。
【００１３】
また、本発明に係る通信回線構成装置は、拠点モデムから連続的に直列に下流モデムが接続されている通信システムを構成するモデムのうちのいずれか一のモデムを基準モデムとした場合、基準モデムと基準モデムとの間で拠点モデムから離れる方向に配置され接続された第一下流モデムを、第一下流モデムとの間で拠点モデムから遠ざかる方向に配置され接続された第二下流モデムに切り替える通信回線構成装置であって、第一下流モデムに備えられ、基準モデムからの指示に基づいて、基準モデムと第一下流モデムとの接続を基準モデムと第二下流モデムとの間の接続に切り替える切替手段と、切替手段によって接続された基準モデムと第二下流モデムとの間の通信状態に応じて、基準モデムと第二下流モデムとの間の接続を維持するか、基準モデムと第一下流モデムとの間の接続に戻すかを判断する判断手段と、判断手段の判断に基づいて第一下流モデムとの接続に戻す場合には第一下流モデムを基準モデムとして確定する基準管理部とを備える。
【００１４】
さらに、切替試行指示手段は、第一下流モデムと第二下流モデムが存在し、かつ、第一下流モデムが切替可能モードになっている場合にのみ、第一下流モデムを第二下流モデムに切り替える指示を発するものであってもよい。
【発明の効果】
【００１５】
本発明によれば、通信速度等の通信品質は確保しつつ、中継段数をできるだけ減らした回線の構成をすることができる。
【発明を実施するための最良の形態】
【００１６】
図１は、本発明の通信回線構成システム及び通信回線構成装置が用いられる通信システムの全体構成図である。図１に記載された通信システム１０は、拠点モデム２０と下流モデム群５０とが接続され、下流モデム群５０内の各下流モデム５２、５４、５６、５８、６２、６４、６６がそれぞれ直列に接続されている。
【００１７】
図１に記載された通信システム１０は、鉄道の駅と駅との間で通信を行うシステムを想定したものであるが、鉄道に限らず、要は、各モデムが直列に接続されている通信システムであれば、高速道路に通信回線を施した通信システムなど、どのような通信システムであっても良い。
【００１８】
図１の通信システム１０は、上述した通り、本発明の一実施例としての駅間の通信システムで用いられるモデムの接続状況を示したものであり、以下の説明は駅と駅との間で通信を行う通信システムで用いられるモデムとして説明を行う。
【００１９】
拠点モデム２０は、例えば鉄道のある路線の始発駅であるＡ駅７０に備えられたモデムである。Ａ駅では駅構内ＬＡＮを使用しており、この拠点モデム２０と各種通信端末７１が接続されている。モデム５２は、Ａ駅の隣の駅のＢ駅に備えられたモデムである。
【００２０】
以下、モデム５４、５６、５８、６２、６４、６６は、それぞれ、Ｃ駅７４、Ｄ駅７６、Ｅ駅７８、Ｆ駅８２、Ｇ駅８４、Ｈ駅８６の各駅にそれぞれ備えられたモデムである。
【００２１】
図１の通信システム１０における下流モデム群においては、Ｄ駅７６と終着駅であるＨ駅８６において駅構内ＬＡＮがそれぞれモデム５６とモデム６６を介して接続されている状況にある様子が示されている。
【００２２】
図１においては、Ａ駅７０の通信端末７１と、Ｄ駅７６の通信端末７７と、Ｈ駅８６の通信端末８７とがそれぞれ通信を行う場合を考えると、拠点モデム２０と、モデム５６と、モデム６６とを直接接続すればよく、Ｂ駅７２、Ｃ駅７４、Ｅ駅７８、Ｆ駅８２、Ｇ駅８４には本来的にはモデムは不要である。
【００２３】
しかし、Ｂ駅やＣ駅が無人駅等であるために駅構内ＬＡＮを設置する必要がないとしても、Ａ駅からＤ駅間の距離が長ければ、通信ケーブル長が長くなると信号の減衰や雑音の影響によるデータ伝送速度が低下し場合によっては通信することができない可能性があるために、Ｂ駅やＣ駅にモデムを配置して中継させている。
【００２４】
図２は、本発明に係る通信回線構成システムを示す機能ブロック図である。図２には、例えば図１に示したような通信システム１０と、基準管理手段１０５と、切替試行指示手段１１０と、切替手段１２０と、判断手段１３０と、切替確定手段１４０とからなる通信回線構成システム１００が図示されている。
【００２５】
図３には、拠点モデムから連続的に直列に下流モデムが接続されている通信システム１０内の所定の一のモデムを基準モデムとしてモデム（０）とし、基準モデムとの間で拠点モデムから離れる方向に配置され接続されたモデムを順にモデム（１）、モデム（２）、モデム（３）・・・とした場合の通信システム１０の一部が示されている。ここで、モデム（１）、モデム（２）、モデム（３）・・・の例については、図３（Ａ）に示すとおりである。
【００２６】
ここで、図２の説明に戻る。以下、モデム（０）、モデム（１）・・・等の表記は図３で示されたものの意味である。モデム（０）を基準モデムとして確定する基準管理手段１０５と、基準管理手段１０５により基準モデムとして確定されたモデム（０）と、モデム（２）との接続の試行を指示する切替試行指示手段１１０と、切替試行指示手段１１０からの試行の指示に基づいて、接続の切替を行う切替手段１２０と、切替手段１２０による切替をした場合に、モデム（０）とモデム（２）との通信状態の良不良を判断する判断手段１３０と、判断手段１３０の判断が良の場合には、切替を確定し、判断手段１３０の判断が不良の場合には、切替手段１２０による切替を元に戻す旨、切替手段１２０に指示する切替確定手段１４０とからなる通信回線構成システム１００が示されている。
【００２７】
ここで、基準管理手段１０５は、判断手段１３０の判断が不良の場合には、モデム（１）をモデム（０）に繰り上げる指示を発するものである。この基準管理手段１０５は図１における拠点モデム２０に設けてもよいし、各下流モデム群５０のうちの各モデムに設けてもよい。その場合には、基準モデムとして確定されたモデム（０）に備えられた基準管理手段１０５が必要に応じて他のモデムに指示を発するように構成することもできる。
【００２８】
図３及び図４は、本発明に係る通信回線構成システムの動作説明図である。図２の通信回線構成システム１００の動作を図３及び図４に従って説明する。
【００２９】
図３（Ａ）は、図１に示した通信システム１０の一部である。モデム（０）、モデム（１）、モデム（２）、モデム（３）が直列に接続されている。これらのモデムは、モデム（０）はＸ駅に備えられ、モデム（１）はＹ駅に備えられ、モデム（２）はＺ駅に備えられ、モデム（３）はＷ駅に備えられている。
【００３０】
ここで、まず、図２の基準管理手段１０５は、モデム（０）を基準モデムとして確定する。この基準モデムは当初は図1における拠点モデム２０を基準モデムとして確定することができる。
【００３１】
図２の切替試行指示手段１１０は、基準管理手段１０５により基準モデムとして確定されたモデム（０）とモデム（２）との接続の試行を指示する。
【００３２】
また、図２の切替手段１２０は、切替試行指示手段１１０からの試行の指示に基づいて、接続の切替を行う。切替手段１２０としては、Ｙ駅に配置されているモデム（１）の両端に、例えば、切替スイッチを配置することで実現することができる。
【００３３】
図３（Ｂ）は、切替手段１２０が、モデム（０）とモデム（２）とを接続した状態を図示した説明図である。図３（Ｂ）は、モデム（０）とモデム（２）とが直接接続された状態である。この状態で、図２の判断手段１３０は、切替手段１２０による切替をした場合に、モデム（０）とモデム（２）との通信状態の良不良を判断する。
【００３４】
図２の切替確定手段１４０は、判断手段１３０の判断が良の場合には、切替を確定し、判断手段の判断が不良の場合には、切替手段１２０による切替を元に戻す旨指示する。
【００３５】
また、図２の基準管理手段１０５は、判断手段１３０の判断が良の場合には、モデム（２）をモデム（１）とし、以下のモデムのモデム番号が繰り上がることになる。その状態が図３（Ｃ）である。また、判断手段１３０の判断が不良の場合には、モデム（１）をモデム（０）に繰り上げる指示を発する。その状態が図３（Ｄ）である。
【００３６】
図３（Ｃ）は、Ｘ駅のモデム（０）とＺ駅のモデム（２）とが接続された後に、Ｚ駅のモデム（２）がモデム（１）として繰り上がった状態を図示した説明図である。図３（Ｃ）には、モデム（２）がモデム（１）に繰り上がった状態が示されており、Ｘ駅のモデムとＺ駅のモデムが直接接続されている。従ってこの状態で、次に、Ｘ駅のモデム（０）とＷ駅のモデム（２）との接続が試みられることになる。この後の接続の状況を図４に示す。
【００３７】
図３（Ｄ）は、Ｘ駅のモデム（０）とＺ駅のモデム（２）との切替から元に戻り、Ｙ駅のモデムがモデム（０）として繰り上げられた状態を図示した説明図である。図３（Ｄ）には、Ｙ駅のモデムとＺ駅のモデムが直接接続されている状態が維持されており、モデム（１）がモデム（０）に繰り上がった状態が示されている。
【００３８】
この場合、基準管理手段１０５は、Ｙ駅のモデムがモデム（０）になるよう当該モデムに指示する。その結果、Ｚ駅のモデムがモデム（１）となり、Ｗ駅のモデムがモデム（２）となる。
【００３９】
これにより、基準管理手段１０５がＹ駅のモデムを基準モデムとして確定されることになるため、この状態でＹ駅のモデム（０）とＷ駅のモデム（２）との接続が試みられることになる。この後の状況は、図３の（Ａ）の各モデムが全体に一つ右にずれた状態と同じである。
【００４０】
図４は、図３（Ｃ）の状態で、Ｘ駅のモデム（０）とＷ駅のモデム（２）との接続が試みられた状況を図示した説明図である。
【００４１】
図４（Ａ）は、切替手段１２０が、モデム（０）とモデム（２）とを接続した状態を図示した説明図である。図４（Ａ）は、モデム（０）とモデム（２）とが直接接続された状態である。この状態で、図２の判断手段１３０は、切替手段１２０による切替をした場合に、モデム（０）とモデム（２）との通信状態の良不良を判断する。
【００４２】
図２の切替確定手段１４０は、判断手段１３０の判断が良の場合には、切替を確定し、判断手段の判断が不良の場合には、切替手段１２０による切替を元に戻す旨指示する。
【００４３】
図２の基準管理手段１０５は、判断手段１３０の判断が良の場合には、モデム（２）をモデム（１）とする指示を発する。その状態が図４（Ｂ）である。また、基準管理手段１０５は、判断手段１３０の判断が不良の場合には、モデム（１）をモデム（０）に繰り上げる指示と、以下のモデムのモデム番号を繰り上げる指示を発する。これにより、図３（Ｄ）からモデム番号が右に一つずつずれた状態、すなわち図３（Ａ）からモデム番号が右に二つずつずれた状態となる。その状態が図４（Ｃ）である。
【００４４】
図４（Ｂ）は、Ｘ駅のモデム（０）とＷ駅のモデム（２）とが接続された後に、Ｗ駅のモデム（２）がモデム（１）として繰り上がった状態を図示した説明図である。図４（Ｂ）には、モデム（２）がモデム（１）に繰り上がった状態が示されており、Ｘ駅のモデムとＷ駅のモデムが直接接続されている。従ってこの状態で、次に、Ｘ駅のモデム（０）と、Ｗ駅のさらに右隣の駅に配置された、モデム（３）から繰り上がったモデム（２）との接続が試みられることになる。
【００４５】
図４（Ｃ）は、Ｘ駅のモデム（０）とＷ駅のモデム（２）との切替から元に戻り、Ｚ駅のモデムがモデム（０）として繰り上げられた状態を図示した説明図である。図４（Ｃ）には、Ｚ駅のモデムとＷ駅のモデムが直接接続されている状態が維持されており、図３（Ｃ）におけるモデム（１）がモデム（０）に繰り上がった状態が示されている。
【００４６】
この場合、基準管理手段１０５は、Ｚ駅のモデムがモデム（０）になるよう指示する。その結果、以下の下流のモデムのモデム番号は繰り上がる。
【００４７】
これにより、基準管理手段１０５がＺ駅のモデムを基準モデムとして確定することになるので、この状態で、次に、Ｚ駅のモデム（０）と、Ｗ駅のさらに右隣の駅に配置された、モデム（３）から繰り上がったモデム（２）との接続が試みられることになる。
【００４８】
図５は、本発明に係る第一の実施形態である通信回線構成装置の具体的な構成を示したブロック図である。図５には、図２から図４で説明した、通信回線構成システムに用いられる通信回線構成装置５００が記載されている。図５の説明において用いるモデム（０）、モデム（１）、モデム（２）の表現は、図２から図４の説明において用いた意味と同様である。
【００４９】
図５には、モデム（１）に備えられた通信回線構成装置６００も示されている。この通信回線構成装置６００については後述する。
【００５０】
拠点モデムから連続的に直列に下流モデムが接続されている、図１に示した通信システム１０を構成するモデムのうちのいずれか一のモデムを基準モデムとした場合、基準モデムとして機能するモデム（０）とモデム（０）との間で拠点モデム２０から離れる方向に配置され接続された第一下流モデムとして機能するモデム（１）を、第一下流モデムとの間で拠点モデムから遠ざかる方向に配置され接続された第二下流モデムとして機能するモデム（２）に切り替える通信回線構成装置５００は、図３及び図４で説明した基準モデムに備えられ、いずれか一のモデム（モデム（０））を基準モデムとして確定する基準管理部５１０と、基準モデムであるモデム（0）をモデム（１）又はモデム（２）と接続するよう制御する制御手段５２０とからなる。
【００５１】
制御手段５２０は、基準管理部５１０により基準モデムとして確定されたモデム（０）とモデム（１）との間の接続を、モデム（０）とモデム（２）との間の接続とするよう切り替えるよう指示する切替試行指示手段５３０と、モデム（０）とモデム（２）との間の通信状態に応じて、モデム（２）との接続を維持するか、モデム（１）との接続に戻すかを判断する判断手段として機能する監視部５５０と、監視部５５０の判断に基づいてモデム（０）とモデム（２）との接続を維持する場合にはモデム（２）をモデム（１）として扱うよう指示し、監視部５５０の判断に基づいてモデム（１）との接続に戻す場合にはモデム（１）をモデム（０）とし、モデム（０）を基準モデムとして確定する基準管理部５１０とを含む。
【００５２】
ここで、切替試行指示手段５３０は、基準管理部５１０により基準モデムとして確定されたモデム（０）とモデム（１）との間の接続を、モデム（０）とモデム（２）との間の接続とするよう切り替えるよう指示する。
【００５３】
また、監視部５５０は、モデム（０）とモデム（２）との間の通信状態に応じて、モデム（２）との接続を維持するか、モデム（１）との接続に戻すかを判断する。この監視部５５０は図２における判断手段１３０に相当する。
【００５４】
この監視部５５０は、モデム送受信部から受信した状態信号を受信する。状態信号には、モデム間の回線接続がされているかどうかを示す情報と回線接続時の伝送速度を示す情報が含まれる。この状態信号により、接続の状態を判断することができる。例えば、回線の接続がされていなかったり、回線の接続自体はなされていても、回線速度が低い場合には、通信状態は悪いと判断し、回線の接続がされており、かつ、回線速度が高い場合には、通信状態は良いと判断する。回線速度の良不良を判断する基準としては例えば、６４ｋｂｐｓ、１Ｍｂｐｓ等任意の数値を用いることができる。
【００５５】
さらに、基準管理部５１０は、判断手段として機能する監視部５５０の判断に基づいて、モデム（１）との接続に戻す場合には、モデム（１）を基準モデム（０）として扱うよう指示する。
【００５６】
基準管理部５１０は、各モデムに備えられた位置スイッチ５５５に当該モデムが基準モデムであることを示す働きかけを行うようにすることができる。なお位置スイッチ５５５は、最上流にある基準モデムとして機能するモデム（０）であるか又は基準モデムに続いて接続されている下流モデムであるかを決定することができればよい。
【００５７】
このため、記憶部５１５には、モデム（０）、モデム（１）・・・等のモデム番号と装置ＩＤとを関連づけて格納しておくようにするとよい。
【００５８】
また、記憶部５１５には制御回線５０５を通じて通信を行った場合に宛先ノードＩＤ、送信元ノードＩＤ、自装置のＩＤ等を格納される。そして、制御手段５２０は、記憶部５１５に格納されている自装置ＩＤと通信を行った相手先ＩＤを対比することにより制御回線５０５を通じた通信が自装置宛てにされたものか否かを判断することができる。
【００５９】
この位置スイッチ５５５は、位置スイッチは「基準モデム」「その他」の設定を行える。「基準モデム」の駅（図３（Ａ）のＸ駅）では、位置スイッチが「基準モデム」になっている。その他の駅（図３（Ａ）のＹ駅やＺ駅）では、位置スイッチが「その他」になっている。位置スイッチが「基準モデム」となっている通信回線構成装置が他の通信回線構成装置への切替を指示することになる。
【００６０】
また、当該位置スイッチ５５５は、電子的な指示により状態が分かれるものであればよいが、最初は手動で設定するスイッチであってもよい。その場合には、拠点モデム２０（図１）に備えられた位置スイッチ５５５を基準モデムとして設定しておくことができる。この場合には、下流モデム群５０（図１）に含まれるすべてのモデムの位置スイッチは、下流モデムである旨の設定としておけばよい。さらに、モードスイッチ５５７が備えられている。このモードスイッチ５５７は制御回線を通じた指示により切替が可能なスイッチであってもよい。また、当初は手動で設定するものであってもよい。このモードスイッチ５５７については、図６の説明の後に述べる。
【００６１】
図６は、本発明に係る第二の実施形態である通信回線構成装置の具体的な構成を示したブロック図である。図６には、図２から図４で説明した、通信回線構成システムに用いられる通信回線構成装置６００が記載されている。
【００６２】
通信回線構成装置６００は、第一下流モデムとして機能するモデム（１）に備えられており、基準モデムとして機能するモデム（０）からの指示に基づいて、基準モデム（０）とモデム（１）との接続をモデム（０）と第二下流モデムとして機能するモデム（２）との間の接続に切り替える切替手段として機能する切替スイッチ５６０、５７０と、切替スイッチ５６０、５７０によって接続されたモデム（０）とモデム（２）との間の通信状態に応じて、モデム（０）とモデム（２）との間の接続を維持するか、モデム（０）とモデム（１）との間の接続に戻すかを判断する判断手段として機能する監視部５５０と、監視部５５０の判断に基づいてモデム（０）とモデム（２）との接続を維持する場合にはモデム（２）をモデム（１）として扱うよう指示し、監視部５５０の判断に基づいてモデム（１）との接続に戻す場合にはモデム（１）をモデム（０）とし、モデム（０）を基準モデムとして確定する基準管理部５１０とを備える。
【００６３】
通信回線構成装置６００は、第一下流モデムとして機能するモデム（１）に備えられているものである。ただし、図５と同符号の要素は図５と同じものである。
【００６４】
切替スイッチ５６０、５７０は、基準モデムとして機能するモデム（０）からの指示に基づいて、基準モデム（０）とモデム（１）との接続をモデム（０）と第二下流モデムとして機能するモデム（２）との間の接続に切り替える。切替スイッチ５６０、５７０は、図２における切替手段１２０として機能する。
【００６５】
切替スイッチ５６０、５７０は、電子的な切替であってもよいし、機械的な切替を行うものであってもよく、その形態は問われない。
【００６６】
監視部５５０は、切替スイッチ５６０、５７０によって接続されたモデム（０）とモデム（２）との間の通信状態に応じて、モデム（０）とモデム（２）との間の接続を維持するか、モデム（０）とモデム（１）との間の接続に戻すかを判断する。監視部５５０は、図２における判断手段１３０として機能する。
【００６７】
基準管理部５１０は、監視部５５０の判断に基づいて基準モデムとモデム（１）との接続に戻す場合にはモデム（１）をモデム（０）とし、モデム（０）を基準モデムとして確定する。
この確定は、図６の左側にあるモデム（０）からの指示に基づいて、基準管理部５１０が位置スイッチ５５５を最上流のモデムであるモデム（０）にセットすることにより行う。
【００６８】
以上、図５及び図６において、通信回線構成装置５００、通信回線構成装置６００についてその構成を説明した。
【００６９】
この通信回線構成装置は、図５及び図６のモードスイッチ５５７を備えて実施することができる。モードスイッチ５５７は、「スルーモード」「中継モード」「自動モード」の設定が行えるものである。
【００７０】
スルーモードでは、切替スイッチ５６０、５７０を直結側に強制的に切り替えておくものである。このとき、使用しないモデムの電源スイッチ（図示せず）を「切」にしてもよい。例えば、新設工事中の駅にてまだモデムを機能させる必要はないが、通信システム内にモデムを新たに挿入しなければならない場合には、このモードで当該モデムをスルーさせる場合に用いる。
【００７１】
中継モードでは、切替スイッチ５６０、５７０をモデム側に切り替える。中継モードに移行した場合には電源スイッチ（図示せず）が切であったならば入にするように連動させてもよい。上記新設中の駅が完成し、当該駅にてＬＡＮを収容する場合には通信システム内でスルーの状態に切り替わらないように中継モードとして固定しておく必要がある。例えば図１で示したＤ駅のモデムは切替を行ってしまうと通信ができなくなるので、この中継モードとしてモデムの接続を固定する。
【００７２】
自動モードでは、通信回線構成装置５００、通信回線構成装置６００が活性化する。具体的には、制御手段５２０が切替スイッチ５６０、５７０の切替を制御し、位置スイッチ５５５を切り替える指示を出し、監視部５５０が、モデムの状態信号等を監視する。
【００７３】
また、モデム（０）に備えられた通信回線構成装置５００とモデム（１）に備えられた通信回線構成装置（６００）との間で制御回線を通じてコマンドのやりとりをして最適な通信システムとなるよう切替スイッチを操作する。
【００７４】
モードスイッチ５５７が自動モードになった場合には、切替スイッチ５６０、５７０のスイッチは「モデム側」に接続される。また、機器の電源スイッチ（図示せず）が切であったならば、入にするようにしてもよい。
【００７５】
なお、途中の駅の通信回線構成装置のモードスイッチ５５７が、「スルーモード」又は「中継モード」になっていたら、切替スイッチ５６０、５７０を動作させることはない。
【００７６】
また、モードスイッチ５５７の操作や雑音による回線切断が等が発生したら、そのことを拠点モデムの通信回線構成装置に通知するようにしてもよい。
【００７７】
図７は、本発明の一実施形態に係る通信回線構成方法のフローチャートである。図７には、通信回線構成方法のフローチャートが図示されており、この通信回線構成方法は、拠点モデムから連続的に直列に下流モデムが接続されている通信システム内の所定の一のモデムを基準モデムとして確定する基準モデム確定ステップと、基準モデム確定ステップにより確定された基準モデムとの間で拠点モデムから離れる方向に配置され接続された第一下流モデムに、第一下流モデムとの間で拠点モデムから離れる方向に配置されに接続された第二下流モデムと基準モデムとを接続するよう指示する接続指示ステップと、接続指示ステップにより接続が指示された場合に、基準モデムと第二下流モデムとを接続するよう切替スイッチを切り替える切替試行ステップと、切替試行ステップにより切替スイッチを切り替えた場合に、基準モデムと第二下流モデムとの通信状態の良不良を判断する判断ステップと、判断ステップにより通信状態が不良と判断された場合には切替スイッチを元に戻し、判断ステップにより通信状態が良いと判断された場合には第二下流モデムとの通信を維持する切替実行ステップと、からなる。
【００７８】
また、切替実行ステップにより第二下流モデムとの接続を維持した場合には、第二下流モデムを第一下流モデムとして各ステップをさらに実行する。
【００７９】
基準モデム確定ステップ（Ｓ７１０）は、拠点モデムから連続的に直列に下流モデムが接続されている通信システム内の所定の一のモデムを基準モデムとして確定する。
【００８０】
接続指示ステップ（Ｓ７２０）は、基準モデム確定ステップ（Ｓ７１０）により確定された基準モデムとの間で拠点モデムから離れる方向に配置され接続された第一下流モデムに、第一下流モデムとの間で拠点モデムから離れる方向に配置されに接続された第二下流モデムと基準モデムとを接続するよう指示する。
【００８１】
切替試行ステップ（Ｓ７３０）は、接続指示ステップ（Ｓ７２０）により接続が指示された場合に、基準モデムと第二下流モデムとを接続するよう切替スイッチを切り替える。
【００８２】
判断ステップ（Ｓ７４０、Ｓ７５０）は、切替試行ステップ（Ｓ７３０）により切替スイッチを切り替えた場合に、基準モデムと第二下流モデムとの通信状態の良不良を判断する。具体的には、第二下流モデム（２）の状態信号について回線の接続されているか否か判断し（Ｓ７４０）、また、第二下流モデム（２）の状態信号について、回線速度の良不良を判断する（Ｓ７５０）。
【００８３】
切替実行ステップ（Ｓ７６０、Ｓ７７０）は、判断ステップ（Ｓ７４０、Ｓ７５０）により通信状態が不良と判断された場合には切替スイッチを元に戻し、判断ステップ（Ｓ７４０、Ｓ７５０）により通信状態が良いと判断された場合には第二下流モデムとの通信を維持する。
【００８４】
具体的には、回線の接続がされていない場合や回線の接続がされていても通信速度が所定の基準値より遅い場合には切替スイッチを元に戻す（Ｓ７６０）。通信速度の所定の基準値は例えば、３０ｋｂｐｓ、１００ｋｂｐｓ、１Ｍｂｐｓ等、任意の数値を設定することができる。
【００８５】
そして、判断ステップ（Ｓ７４０、Ｓ７５０）により通信状態が良と判断されて、切替実行ステップ（Ｓ７７０）により基準モデム（０）と第二下流モデム（２）との接続が維持された場合には、基準管理部は、基準モデム（０）と接続されている第二下流モデム（２）に対して、第一下流モデム（１）として機能するよう指示を出す（Ｓ７８０）。この場合、下流モデム（３）以降のモデムはその順番が繰り上がることになる。
【００８６】
一方、切替実行ステップ（Ｓ７６０）により切替スイッチが元に戻された場合には、基準管理部が、第一下流モデム（１）を基準モデム（０）として機能するよう指示を出す（Ｓ７９０）。この場合、第二下流モデム（２）以降のモデムの順番はそれぞれ繰り上がることになる。
【００８７】
この結果、新たに基準モデム（０）、第一下流モデム（１）、第二下流モデム（２）が定まることになるので、上述した各ステップをさらに実行することができる。
【００８８】
なお、当初の基準モデムは最初は拠点モデムを基準モデムとするものであってもよいし、任意に設定したモデムを基準モデムとしてもよい。
【００８９】
図８は、本発明の一実施形態に係る通信回線構成方法を示したフローチャートである。図８には、通信回線構成方法のフローチャートが図示されており、この通信回線構成方法は、基準モデム確定ステップにより確定された基準モデムとの間で拠点モデムから離れる方向に配置され接続された第一下流モデムが存在するか否か確認する第一下流モデム存在確認ステップと、第一下流モデムとの間で拠点モデムから離れる方向に配置され接続された第二下流モデムが存在するか否か確認する第二下流モデム存在確認ステップと、第一下流モデム存在確認ステップにより第一下流モデムの存在が確認された場合に第一下流モデムが自動モードか否か判断するモード判断ステップとからなり、第二下流モデム存在確認ステップにより、第二下流モデムの存在が確認され、かつ、モード判断ステップにより第一下流モデムが自動モードであると判断された場合に、接続指示ステップを行う。
【００９０】
第一下流モデム存在確認ステップ（Ｓ８１０）は、基準モデム確定ステップにより確定された基準モデムとの間で拠点モデムから離れる方向に配置され接続された第一下流モデムが存在するか否か確認する。
【００９１】
第二下流モデム存在確認ステップ（Ｓ８２０）は、第一下流モデムとの間で拠点モデムから離れる方向に配置され接続された第二下流モデムが存在するか否か確認する。
【００９２】
モード判断ステップ（Ｓ８３０）は、第一下流モデム存在確認ステップにより第一下流モデムの存在が確認された場合に第一下流モデムが自動モードか否か判断する。
【００９３】
第二下流モデム存在確認ステップ（Ｓ８２０）により、第二下流モデムの存在が確認され、かつ、モード判断ステップ（Ｓ８３０）により第一下流モデムが自動モードであると判断された場合に、接続指示ステップ（Ｓ７２０）を行う。また自動モードではないと判断された場合には、基準管理部が、第一下流モデム（１）を基準モデム（０）として機能するよう指示を出す（Ｓ７９０）。
【００９４】
なお、当初の基準モデムは最初は拠点モデムを基準モデムとするものであってもよいし、任意に設定したモデムを基準モデムとしてもよい。
【００９５】
モード判断ステップ（Ｓ８２０）で自動モードでないと判断された場合に、第一下流モデムを基準モデムとする。
【００９６】
次に図９において制御回線を通じたコマンドの詳細とモデムの切替のアルゴリズムの詳細について説明する。
【００９７】
まず、以下のコマンドを定義する。図９は、制御回線を通じて通信されるデータ構造からなるコマンドの内部データ構造図である。図９には、宛先ノードＩＤ、発信元ノードＩＤ、コマンドＩＤ及びパラメータをそれぞれ示すデータ列よりなる。これらの各種ＩＤ及びパラメータを用いて以下のコマンドを定義する。宛先ノードＩＤ及び発信元ノードＩＤは、直列に接続されたモデムの固有のＩＤを示し、宛先のモデムＩＤと、送信元のモデムＩＤである。
【００９８】
このモデム固有のＩＤと、図２から図４においてモデム（０）、モデム（１）・・・等について説明したモデム番号を関連づけたメモリテーブル（図示せず）を拠点モデム２０に備えておくことで、現在どのモデムが基準モデムとなっており、どのモデムがモデム（１）、モデム（２）・・・に該当するに至っているかを把握することができる。このテーブルは各通信回線構成装置に備えられた記憶部（図示せず）に備えておくこともできる。その場合には拠点モデムからの指示に従って書き換えられるようにしてもよい。
【００９９】
（コマンド）
（１）スイッチ直結切替要求コマンド
宛先ノードで指定する通信回線構成装置に対して、切替スイッチ５６０、５７０を「直結側」に切り替えるよう要求する。宛先ノードが指定されていない場合、受信した通信回線構成装置はモードスイッチ５５７が「自動」でかつ切替スイッチ５６０、５７０がモデム側の状態であれば切替スイッチ５６０、５７０を切り替え、それ以外の場合はさらに下流に転送する。
【０１００】
（２）スイッチ直結切替応答コマンド
宛先ノードで指定する通信回線構成装置に対して、スイッチ直結切替要求コマンドに対する応答を返す。パラメータ部で、処理結果を通知する。
０：切替終了
１：切替不可
２：自装置が最下流
３：自装置のモードスイッチ５５７は「中継」
【０１０１】
（３）スイッチモデム側切替要求コマンド
宛先ノードで指定する通信回線構成装置に対して、切替スイッチ５６０、５７０を「モデム側」に切り替えるよう要求する。
【０１０２】
（４）スイッチモデム側切替応答コマンド
宛先ノードで指定する通信回線構成装置に対して、スイッチモデム側切替要求コマンドに対する応答を返す。パラメータ部で処理結果を通知する。
０：切替終了
１：切替不可
【０１０３】
（５）回線再構成指示コマンド
宛先ノードで指定する通信回線構成装置に対して、その下流の構成を行うよう指示する。
【０１０４】
（６）回線再構成要求コマンド
自通信回線構成装置の下流側のモデムの伝送速度の低下又は回線の切断を検出した場合、自通信回線構成装置のモードスイッチ５５７の操作がなされた場合、上流の通信回線構成装置に対して、そのことを通知する。このコマンドを受け取ったら、最上流の通信回線構成装置以外は、上流に転送する。
【０１０５】
以上のコマンドを用いて、本発明に係る通信回線構成装置のアルゴリズムを説明する。まず、基準モデム及び下流のモデムの電源スイッチ（図示せず）をオンした状態では切替スイッチ５６０、５７０はモデム側に設定されているものとする。
【０１０６】
図１０は、基準モデムルーチン１を示すフローチャートである。図１０には、位置スイッチ５５５が「基準モデム」となっているモデムの動作が示されている。図１０は、図９で示したデータ構成のデータを通信するアルゴリズムである。
【０１０７】
まず、下流側につながっているモデムの状態信号が「回線接続ＯＫ」を示していれば、その時の伝送速度を記憶部に記憶する。「回線接続ＮＧ」であれば、もともと伝送不可能であるので、それ以上何もしない（ステップＳ９１０）。
【０１０８】
下流の通信回線構成装置に向けて「スイッチ直結切替要求コマンド」を送信する（ステップＳ９２０）。宛先ノードＩＤは「指定なし」、発信元ノードＩＤは自装置のＩＤとする。
【０１０９】
図１１は、下流モデムルーチン１を示すフローチャートである。図１１には、スイッチ直結切替要求コマンドを受信した場合の動作が示されている。
【０１１０】
まず、位置スイッチ５５５が「その他」となっているモデムについては、上流の通信回線構成装置から「スイッチ直結切替要求コマンド」を受信したら（ステップＳ１０１０）、以下の処理を行う。
【０１１１】
モードスイッチ５５７が「直結」であれば（ステップＳ１０２０）、そのまま下流に転送する（ステップＳ１０３０）。
【０１１２】
モードスイッチ５５７が「中継」であれば（ステップＳ１０４０）、発信元ノードＩＤに記録されているノードＩＤを記憶部に記憶し、「スイッチ直結切替応答コマンド」を上流に向けて送信して（ステップＳ１０５０）、基準モデムルーチン２へ移行する。宛先ノードＩＤは、記憶部に記憶したノードＩＤ、発信元ノードＩＤは自ノードのノードＩＤ、パラメータには、「自装置のモードスイッチ５５７は「中継」」を指定する。
【０１１３】
モードスイッチ５５７が「自動」であり（ステップＳ１０４０）、かつ、自装置が一番下流であるならば（ステップＳ１０６０）、発信元ノードＩＤに記録されているノードＩＤを記憶部に記憶し、「スイッチ直結切替応答コマンド」を上流に向けて送信して（ステップＳ１０７０）、基準モデムルーチン２へ移行する。宛先ノードＩＤは、記憶部に記憶したノードＩＤ、発信元ノードＩＤは、自ノードのノードＩＤ、パラメータには「自装置が最下流」を指定する。自装置が最下流か否かは隣に接続されるモデムの有無で判断することができる。
【０１１４】
モードスイッチ５５７が「自動」であり、かつ、切替スイッチ５６０、５７０がモデム側になっていれば（ステップＳ１０８０）、発信元ノードＩＤに記録されているノードＩＤを記憶部に記憶し、切替スイッチ５６０、５７０を直結側に切り替える（ステップＳ１０８５）、切替が成功した場合（Ｓ１０９０）、「スイッチ直結切替応答コマンド」を上流に向けて送信して基準モデムルーチン２へ移行する（ステップＳ１０９５）。宛先ノードＩＤは、記憶部に記憶したノードＩＤ、発信元ノードＩＤは自ノードのノードＩＤ、パラメータには「切替完了」を指定する。切替が成功しなかった場合（Ｓ１０９０）には、「切替不可」を指定する（Ｓ１１００）。
【０１１５】
モードスイッチ５５７が「自動」であり、かつ、切替スイッチ５６０、５７０が直結側になっていれば、「スイッチ直結切替要求コマンド」をそのまま下流に転送する（Ｓ１０３０）。
【０１１６】
図１２は、基準モデムルーチン２を示すフローチャートである。図１２には、スイッチ直結切替応答コマンドを受信した場合の基準モデムの動作が示されている。
【０１１７】
まず、「スイッチ直結切替応答コマンド」を受信したら、発信元ノードＩＤに記録されているノードＩＤを記憶部に記憶し（ステップＳ１１１０）、パラメータ部の処理結果に応じて以下の処理を行い（ステップＳ１１２０、Ｓ１１３０）、「自装置が最下流」であれば、処理を終了する。
【０１１８】
「（ａ）切替完了」であれば、通信速度が所定の基準値より遅くない場合には（Ｓ１１３５）
、図１０のステップＳ９１０に戻って処理を繰り返し、遅い場合又は「（ｂ）切替不可」であれば、下流の通信回線構成装置に向けて「スイッチモデム側切替要求コマンド」を送信して（ステップＳ１１４０）、下流モデムルーチン２へと進む。宛先のノードＩＤは、記憶部に記憶されているノードＩＤ、発信元ノードＩＤは、自装置のＩＤとする。また、「（ｃ）自装置のモードスイッチ５５７は「中継」」であれば、下流の通信回線構成装置に向けて「回線再構成指示コマンド」を送信して（ステップＳ１１５０）、回線再構成ルーチンへと進む。宛先ノードＩＤは、記憶部に記憶しているノードＩＤ、発信元ノードＩＤは自装置のＩＤとする。
【０１１９】
図１３は下流モデムルーチン２のアルゴリズムを示すフローチャートである。スイッチモデム側切替要求コマンドを受信した場合の下流モデムの動作を示している。上流の通信回線構成装置から「スイッチモデム側切替要求コマンド」を受信した場合（ステップＳ１２１０）、以下の処理を行う。
【０１２０】
コマンドの宛先ノードＩＤが自装置のＩＤか否か判断し（ステップＳ１２２０）、自装置のＩＤではない場合には、自装置が最下流か否か判断する（ステップＳ１２３０）。
【０１２１】
コマンドの宛先ノードＩＤが自装置のＩＤでなく、自装置が最下流であれば、発信元ノードＩＤを記憶部に記憶し（ステップＳ１２４０）、「スイッチモデム側切替応答コマンド」を上流に向けて送信して（ステップＳ１２５０）、基準モデムルーチン３へと進む。宛先ノードＩＤは、記憶部に記憶したノードＩＤ、発信元ノードＩＤは自装置のＩＤ、パラメータは「切替完了」に指定する。
【０１２２】
コマンドの宛先ノードＩＤが自装置のＩＤでなく、かつ、自装置が最下流でなければ、コマンドをそのまま下流に転送する（ステップＳ１２６０）。また、自装置のモードスイッチ５５７が「直結」であれば（ステップＳ１２７０）、そのまま下流に転送する（ステップＳ１２６０）。
【０１２３】
モードスイッチ５５７が「直結」でなくとも（ステップＳ１２７０）、モードスイッチ５５７が「中継」であれば（ステップＳ１２８０）、発信元ノードＩＤに記録されているノードＩＤを記憶部に記憶し（ステップＳ１２４０）、「スイッチモデム側切替応答コマンド」を上流に向けて送信して（ステップＳ１２５０）、基準モデムルーチン３へと進む。宛先ノードＩＤは、記憶部に記憶したノードＩＤ、発信元ノードＩＤは自ノードのノードＩＤ、パラメータには「切替完了」を指定する。
【０１２４】
モードスイッチ５５７が「自動」であり（ステップＳ１２８０）、かつ、切替スイッチ５６０、５７０が直結側になっていれば（ステップＳ１２９０）、発信元ノードＩＤに記録されているノードＩＤを記憶部に記憶し、切替スイッチ５６０、５７０をモデム側に切り替える（ステップＳ１３００）。そして、「スイッチモデム側切替応答コマンド」を上流に向けて送信して（ステップＳ１２５０、Ｓ１３２０）、基準モデムルーチン３へと進む。宛先ノードＩＤは、記憶部に記憶したノードＩＤ、発信元ノードＩＤは自ノードのノードＩＤ、パラメータには切替がうまくいった場合には（ステップＳ１２５０）、「切替完了」を、また、切替がうまくいかなかった場合には（ステップＳ１３２０）、「切替不可」を指定する。
【０１２５】
モードスイッチ５５７が「自動」であり（ステップＳ１２８０）、かつ、切替スイッチ５６０、５７０がモデム側になっていれば（ステップＳ１２９０）、発信元ノードＩＤに記録されているノードＩＤを記憶部に記憶し（ステップＳ１２４０）、「スイッチモデム側切替応答コマンド」を上流に向けて送信して（ステップＳ１２５０）、基準モデムルーチン３へと進む。宛先ノードＩＤは、記憶部に記憶したノードＩＤ、発信元ノードＩＤは自ノードのノードＩＤ、パラメータには「切替完了」を指定する。
【０１２６】
図１４は、基準モデムルーチン３を示すフローチャートである。図１４には、スイッチモデム側切替応答コマンドを受信した場合の基準モデムの動作が示されている。
【０１２７】
「スイッチモデム側切替応答コマンド」を受信したら（ステップＳ１３５０）、発信元ノードＩＤに記録されているノードＩＤを記憶部に記憶し、パラメータ部の情報を判断する（ステップＳ１３６０）。パラメータ部の情報が、「切替完了」であれば（ステップＳ１３６０）、下流の通信回線構成装置に向けて「回線再構成指示コマンド」を送信して（ステップＳ１３７０）、回線再構成ルーチンへと進み、「切替不可」であれば（ステップＳ１３６０）、異常表示をして終了する。
【０１２８】
図１５は、再構成指示ルーチンを示したフローチャートである。上流の通信回線構成装置から「回線再構成指示コマンド」を受信したら（ステップＳ１４１０）、以下の処理を行う。
【０１２９】
コマンドの宛先ノードＩＤが自装置のＩＤであるか否かを判断し、コマンドの宛先ノードＩＤが自装置のＩＤでない場合（ステップＳ１４２０）、自装置が最下流であるか否かを判断する（ステップＳ１４３０）。自装置が最下流であれば終了する。一方、自装置が最下流でなければ、コマンドをそのまま下流に転送して（ステップＳ１４４０）、隣のモデムについて再構成指示ルーチンが行われる。
【０１３０】
コマンドの宛先ノードＩＤが自装置のＩＤである場合にも（ステップＳ１４２０）、自装置が最下流であれば（ステップＳ１４５０）、処理は終了する。一方、自装置が最下流でなくとも（Ｓ１４５０）モードスイッチ５５７が「直結」であれば（ステップＳ１４６０）、処理は終了する。
【０１３１】
コマンドの宛先ノードＩＤが自装置のＩＤで、かつ、モードスイッチ５５７が「中継」又は「自動」であれば、自装置が新しい最上流装置として（ステップＳ１４７０）、図１０の処理を行う。
【０１３２】
なお、自通信回線構成装置の下流側モデムの伝送速度の低下又は回線の切断を検出した場合、自通信回線構成装置のモードスイッチ５５７の操作がなされた場合、上流の通信回線構成装置にむけて、「回線再構成要求コマンド」を送信する。その場合には、拠点モデムが、下流から「回線再構成要求コマンド」を受信することになるのでその場合にも同様に拠点モデムが図１０の処理を行う。
【０１３３】
また、この発明の実施の形態に係る方法及びシステムは、専用の装置で実現できるのはもちろんであるが、任意の言語で作成されたコンピュータプログラムにより通常のコンピュータシステムを用いて実現可能である。プログラムを格納した媒体（フレキシブルディスク、ＣＤ−ＲＯＭ、ＤＶＤ−ＲＯＭ等）から当該プログラムをインストールすることにより、上述の処理を実行することもできる。
【０１３４】
コンピュータにプログラムを供給するための手法もまた任意である。例えば、通信回線、通信ネットワーク、通信システム等を介して供給してもよい。そして、このプログラムを起動し、ＯＳ（Operating System）の制御下で、他のアプリケーションプログラムと同様に実行することにより、上記した各ルーチンや各ステップの処理を実行することもできる。
【０１３５】
また、通信回線構成装置に信号回線の測定を行う機能を付加することで、伝送速度の低下以外の品質劣化が起きた場合にも回線再構成を起動することができる。具体的には、下流の通信回線構成装置から上流の通信回線構成装置に向けて断続的に試験用のデータ列を挿入し、上流の通信回線構成装置では伝送エラーの発生率を測定する。エラー率が一定値以上になったら回線再構成を起動するようにしてもよい。
【０１３６】
さらに、通信回線構成装置で下流の信号回線の雑音レベルを測定し、雑音レベルが一定値以上になったら回線再構成を起動するようにしてもよい。
【０１３７】
また、自装置が最上流装置として動作していない時に、下流の通信回線構成装置から受信したコマンドはそのまま上流へ転送するようにしてもよい。
【０１３８】
なお、隣接する通信回線構成装置とのコマンドのやりとりをおこなうための「制御回線」が必要であるが、ＡＤＳＬのようなモデムの場合には音声チャネルを使うことで「信号回線」と同じケーブルで済ましてもよい。
【産業上の利用可能性】
【０１３９】
本発明によれば、モデム間の通信において、不要なモデムを中継することなく良好な通信品質を保つ通信システムを構成できるので、通信システムやモデムの分野での利用が期待される。
【図面の簡単な説明】
【０１４０】
【図１】本発明の通信回線構成システム及び通信回線構成装置が用いられる通信システムの全体構成図である。
【図２】本発明に係る通信回線構成システムを示す機能ブロック図である。
【図３】本発明に係る通信回線構成システムの動作説明図である。
【図４】本発明に係る通信回線構成システムの動作説明図である。
【図５】本発明に係る第一の実施形態である通信回線構成装置の具体的な構成を示したブロック図である。
【図６】本発明に係る第二の実施形態である通信回線構成装置の具体的な構成を示したブロック図である。
【図７】本発明の一実施形態に係る通信回線構成方法のフローチャートである。
【図８】本発明の一実施形態に係る通信回線構成方法を示したフローチャートである。
【図９】制御回線を通じて通信されるデータ構造からなるコマンドの内部データ構造図である。
【図１０】基準モデムルーチン１を示すフローチャートである。
【図１１】下流モデムルーチン１を示すフローチャートである。
【図１２】基準モデムルーチン２を示すフローチャートである。
【図１３】下流モデムルーチン２を示すフローチャートである。
【図１４】基準モデムルーチン３を示すフローチャートである。
【図１５】回線再構成ルーチンを示したフローチャートである。
【符号の説明】
【０１４１】
１０  通信システム
１００  通信回線構成システム
１１０  切替試行指示手段
１０５  基準管理手段
１２０  切替確定手段
１３０  判断手段
１４０  切替確定手段
５００  通信回線構成装置
５０５  制御回線
５１０  基準管理部
５１５  記憶部
５２０  制御部
５３０  切替試行指示手段
５５０  監視部
５５５  位置スイッチ
５５７  モードスイッチ
５６０  切替スイッチ
５７０  切替スイッチ
５８０  切替手段
６００  通信回線構成装置
【図１】
0004705873.tif 000002
【図２】
0004705873.tif 000003
【図３】
0004705873.tif 000004
【図４】
0004705873.tif 000005
【図５】
0004705873.tif 000006
【図６】
0004705873.tif 000007
【図７】
0004705873.tif 000008
【図８】
0004705873.tif 000009
【図９】
0004705873.tif 000010
【図１０】
0004705873.tif 000011
【図１１】
0004705873.tif 000012
【図１２】
0004705873.tif 000013
【図１３】
0004705873.tif 000014
【図１４】
0004705873.tif 000015
【図１５】
0004705873.tif 000016